(57)【要約】【課題】  面状光源及び液晶表示装置において、複数の導光板を並べても隣接する端面間の隙間における輝度低下を抑制し、見栄えを改善すること。【解決手段】  ＬＥＤ光源２と、該ＬＥＤ光源２を光入射面である基端側端面３ａに配しＬＥＤ光源２から入射され導光した光を光路変換して主面３ｂ側から面状に出射する導光板３と、を備えた複数のライトユニット４が、互いに導光板３を隣接状態にして複数列並べられて構成された面状光源１であって、基端側端面３ａ以外で互いに隣接する導光板の端面３ｃが、それぞれ主面３ｂに対して傾斜している。【選択図】  図２
2009283419.tif 000002
【特許請求の範囲】
【請求項１】
光源と、該光源を光入射面である基端側端面に配し前記光源から入射され導光した光を光路変換して主面側から面状に出射する導光板と、を備えた複数のライトユニットが、互いに前記導光板を隣接状態にして複数列並べられて構成された面状光源であって、
前記基端側端面以外で互いに隣接する前記導光板の端面が、それぞれ前記主面に対して傾斜していることを特徴とする面状光源。
【請求項２】
請求項１に記載の面状光源において、
前記基端側端面以外で互いに隣接する前記導光板の端面が、前記主面に対して４５°傾斜していることを特徴とする面状光源。
【請求項３】
請求項１又は２に記載の面状光源において、
前記基端側端面以外で互いに隣接する前記導光板の端面が、それぞれ前記主面側に向けられていることを特徴とする面状光源。
【請求項４】
請求項１又は２に記載の面状光源において、
前記基端側端面以外で互いに隣接する前記導光板の端面が、それぞれ前記主面と反対側に向けられていることを特徴とする面状光源。
【請求項５】
請求項１又は２に記載の面状光源において、
前記基端側端面以外で互いに隣接する前記導光板の端面の一方が、前記主面側に向けられていると共に、前記導光板の端面の他方が、前記主面と反対側に向けられて前記導光板の端面の一方に対してその上方に配されていることを特徴とする面状光源。
【請求項６】
液晶表示パネルと、
前記液晶表示パネルの裏面側に配された請求項１から５のいずれか一項に記載の面状光源と、を備えていることを特徴とする液晶表示装置。
【発明の詳細な説明】
【技術分野】
【０００１】
本発明は、液晶表示パネルなどを照明する面状光源及びこれを備えた液晶表示装置に関する。
【背景技術】
【０００２】
薄型テレビジョン装置や薄型モニター等の大型ディスプレイには、画像表示のための液晶表示装置が広く採用されている。この液晶表示装置には、液晶表示パネルの裏面側から光を照射して表示画面の輝度を高めるバックライトユニットが用いられている。
上記バックライトユニットでは、導光板と、該導光板の側端面に配置させたＬＥＤ等の光源と、を備え、光源からの光を導光して主面全体から液晶表示パネルに向けて出射させている。
【０００３】
近年、液晶テレビジョン装置の大型化に伴って、その軽量化や薄型化がさらに要望されているが、バックライト方式では混色性や輝度ムラが厚みと反比例の関係となり、薄型化が困難であった。また、サイドエッジ面に光源を配した導光板を用いたバックライトユニットであって、大型の導光板を作製する方法として射出成形方式を採用した場合、大面積でかつ薄型のものを作製する際に、形状全体に樹脂が転写、充填され難いという限界があった。また、樹脂を十分に充填するためには、成型機を大型化し、射出圧力を上げることで解決される場合もあるが、大型の成型機は設備費用の多大なコストがかかるため、製品コスト的に採用が難しい。
【０００４】
このため、従来、例えば特許文献１には、多数の光源が回路基板上に実装され、各光源に対応して複数の導光板（導光体）が２次元に配列された照明装置が提案されている。これら面光源装置及び照明装置では、導光板において光源が配された端面及び該端面に対向した端面以外の端面が、光の出射面である主面に対して垂直な面とされ、隣接する導光板の端面と互いに突き合わされている。
【０００５】
【特許文献１】特開平９−１８６８２５号公報（図２）
【発明の開示】
【発明が解決しようとする課題】
【０００６】
しかしながら、上記従来の技術には、以下の課題が残されている。
従来、導光板を隣接させて複数配列させる際に、導光板同士を近接させて配置するが、実装上の固定方法、組み付け誤差、材厚及び熱膨張等を考慮して隣接する導光板の間隔を一定のクリアランスに設定して互いに端面を突き合わせている。この際、特許文献１に記載の技術のように、隣接する導光板の端面同士が、主面に対して垂直な面とされていると、内部を導光される光が垂直な端面で内側に反射されて端面から主面側外部に出射され難いため、隣接する端面間の隙間が暗部となる不都合があった。このため、隣接する導光板の間に線状の輝度低下部分が発生し、見栄えが悪くなるという不都合があった。
【０００７】
本発明は、前述の課題に鑑みてなされたもので、複数の導光板を並べても隣接する端面間の隙間における輝度低下を抑制し、見栄えを改善することができる面状光源及び液晶表示装置を提供することを目的とする。
【課題を解決するための手段】
【０００８】
本発明は、前記課題を解決するために以下の構成を採用した。すなわち、本発明の面状光源は、光源と、該光源を光入射面である基端側端面に配し前記光源から入射され導光した光を光路変換して主面側から面状に出射する導光板と、を備えた複数のライトユニットが、互いに前記導光板を隣接状態にして複数列並べられて構成された面状光源であって、前記基端側端面以外で互いに隣接する前記導光板の端面が、それぞれ前記主面に対して傾斜していることを特徴とする。
【０００９】
この面状光源では、光入射面である基端側端面以外で互いに隣接する導光板の端面が、それぞれ主面に対して傾斜しているので、端面から外部に光が出射され易くなり、端面同士の隙間における輝度が向上する。したがって、隣接する端面近傍の輝度が補正されて輝度低下が抑制され、全体の見栄えが改善される。また、導光板間の輝度が向上するので、導光板同士の間隔を従来よりも広く設定することができ、固定方法、組み付け誤差、材厚、熱膨張等を考慮した余裕のある設計が可能になる。
【００１０】
また、本発明の面状光源は、前記基端側端面以外で互いに隣接する前記導光板の端面が、前記主面に対して４５°傾斜していることを特徴とする。すなわち、この面状光源では、隣接する導光板の端面が、主面に対して４５°傾斜しているので、内部を導光される光を効率的に外部に出射させることができる。
【００１１】
また、本発明の面状光源は、前記基端側端面以外で互いに隣接する前記導光板の端面が、それぞれ前記主面側に向けられていることを特徴とする。すなわち、この面状光源では、隣接する導光板の端面が、それぞれ主面側に向けられているので、両方の端面から主面側に光が出射され易く、端面間の輝度を向上させることができる。
【００１２】
また、本発明の面状光源は、前記基端側端面以外で互いに隣接する前記導光板の端面が、それぞれ前記主面と反対側に向けられていることを特徴とする。すなわち、この面状光源では、隣接する導光板の端面が、それぞれ主面と反対側に向けられているので、導光板端面から出射された光が反射シート等により主面側に反射されることで、隣接する端面間における輝度を高めることが可能になる。
【００１３】
また、本発明の面状光源は、前記基端側端面以外で互いに隣接する前記導光板の端面の一方が、前記主面側に向けられていると共に、前記導光板の端面の他方が、前記主面と反対側に向けられて前記導光板の端面の一方に対してその上方に配されていることを特徴とする。すなわち、この面状光源では、隣接する導光板の端面の一方が、主面側に向けられていると共に、導光板の端面の他方が、主面と反対側に向けられて導光板の端面の一方に対してその上方に配されているので、主面側から見た平面視で導光板の端面が重なった状態となり、両方の端面から出射される光も重なって端面間の輝度を向上させることができる。
【００１４】
本発明の液晶表示装置は、液晶表示パネルと、前記液晶表示パネルの裏面側に配された上記本発明の面状光源と、を備えていることを特徴とする。すなわち、この液晶表示装置では、上記本発明の面状光源を備えているので、導光板間の輝度低下が抑制され、見栄えが良好な大面積の画像表示が得られる。
【発明の効果】
【００１５】
本発明によれば、以下の効果を奏する。
すなわち、本発明に係る面状光源によれば、光入射面である基端側端面以外で互いに隣接する導光板の端面が、それぞれ主面に対して傾斜しているので、端面から外部に光が出射され易くなり、端面同士の隙間における輝度低下が抑制され、全体の見栄えが改善される。したがって、大型成型機や金型加工が不要で、簡単かつ低コストに作製可能な小型サイズの導光板を複数設置することで、大型サイズを実現できると共に、隣接する導光板端部の輝度低下を抑制し、見栄えの良好な面状光源を得ることができる。また、この面状光源を備えた液晶表示装置によれば、見栄えの良好な大面積の画像表示を得ることができる。
【発明を実施するための最良の形態】
【００１６】
以下、本発明に係る面状光源及び液晶表示装置の第１実施形態を、図１から図４に基づいて説明する。なお、以下の説明に用いる各図面では、各部材を認識可能な大きさとするために縮尺を適宜変更している。
【００１７】
本実施形態における面状光源１は、液晶表示装置のバックライトユニットであって、図１から図３に示すように、複数のＬＥＤ光源（光源）２と、該ＬＥＤ光源２を光入射面である基端側端面３ａに配しＬＥＤ光源２から入射され導光した光を光路変換して主面３ｂ側から面状に出射する導光板３と、を備えた複数のライトユニット４が、互いに導光板３を隣接状態にして複数列並べられて構成されている。
【００１８】
上記導光板３は、長方形状とされていると共に複数の縦列及び横列からなるマトリクス状に配置されている。特に、本実施形態の面状光源１は、大型サイズのバックライトで主流の縦横比である１６：９となるように導光板３の形状及び設置枚数が決定されている。なお、本実施形態では、長辺方向を横列とすると共に短辺方向を縦列とし、縦８列及び横６列にライトユニット４が並べられている。
【００１９】
また、基端側端面３ａ以外で互いに隣接する導光板３の端面３ｃは、それぞれ主面３ｂに対して垂直ではなく、傾斜しており、本実施形態では、主面３ｂに対して４５°傾斜している。
さらに、基端側端面３ａ以外で互いに隣接する導光板３の端面３ｃは、それぞれ主面３ｂ側に向けられて配されている。なお、隣接する導光板３の端面３ｃに、それぞれドット形状やプリズム形状等の微細光学形状を施して輝度の補正を行っても構わない。
【００２０】
これら隣接する導光板３は、組み付け誤差、端面３ｃ近傍の輝度及び見栄え等に応じて互いに数ｍｍの距離だけ離間させて配列される。
なお、光入射面である基端側端面３ａは、ＬＥＤ光源２からの光を効率的に内部に入光させると共に良好に導光させるため、ＬＥＤ光源２の光出射面に対向して主面３ｂに対して垂直な面とされている。
【００２１】
この面状光源１では、例えば入光面（光入射面）である基端側端面３ａが図１における横方向に延在するように導光板３が配置され、光の出射方向が図１における上下方向（縦方向）になるように、ＬＥＤ光源２の光出射面が図１における上下方向に向けて設置されている。
【００２２】
上記導光板３は、例えば透明なポリカーボネイト樹脂やアクリル樹脂等で形成されている。
また、上記導光板３は、例えばベゼル（図示略）を介して又は直接、リジッド基板５に設置される。さらに、各ＬＥＤ光源２は、ベゼル又はリジッド基板５に固定されたフレキシブルプリント基板（図示略）に接続されている。
【００２３】
基端側端面３ａにおけるＬＥＤ光源２に対向した領域には、例えば断面Ｖ字状の入光プリズム（図示略）が複数形成されている。また、導光板３の主面である光出射面には、例えば白色ドットパターン（図示略）が形成されている。なお、光出射面又はその対向面に、例えばプリズム状やレンチキュラーレンズ状の微細光学形状等の他の光学形状を施しても構わない。例えば、プリズム状の微細光学形状を施した場合、ＬＥＤ光源２から遠いほど、プリズムの頂角が大きく設定される。また、断面不等辺三角形状のプリズムとし、頂角が大きくなるに従い、プリズム形状の深さが深く設定される、又はプリズムピッチが狭く設定される。
【００２４】
上記ＬＥＤ光源２は、基端側端面３ａに光出射面である先端面を対向させて設置された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２５】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、ＬＥＤ光源２は、先端面からのみ光が出射されるように先端面以外の樹脂材側面には、反射枠が形成されている。また、白色ＬＥＤとしては、上記以外でも種々のものが採用可能である。
【００２６】
また、本実施形態の液晶表示装置１０は、例えば大型液晶テレビジョン装置等の液晶ディスプレイに適用される表示装置であって、図３及び図４に示すように、液晶表示パネル１１と、液晶表示パネル１１の裏面側に配された上記面状光源１と、を備えている。
【００２７】
すなわち、この液晶表示装置１０は、上記複数のライトユニット４からなる面状光源１と、並べられた複数の導光板３上に配され導光板３からの光を拡散させて面内の光強度を均一にする拡散板１２Ａと、該拡散板１２Ａ上に配された拡散シート１２Ｂと、拡散シート１２Ｂ上に配され拡散シート１２Ｂからの光を液晶表示パネル１１に向けた上方向への照射光として出射するプリズムシート１３と、該プリズムシート１３上に配された上記液晶表示パネル１１と、導光板３の下面に配された反射シート１４と、を備えている。
なお、本実施形態では、液晶表示パネル１１の画面側及び面状光源１の光出射面側を表面側又は上面側として記載している。
【００２８】
上記拡散板１２Ａ及び拡散シート１２Ｂは、例えば、アクリル樹脂やポリカーボネイト樹脂などの透明樹脂にシリカ粒子などを分散させた板及びシートである。
【００２９】
上記プリズムシート１３は、拡散シート１２Ｂからの光を上面側に集光するための透明シート状の部材であり、平行な複数の稜線を有するプリズム部を上面側に有している。また、プリズムシート１３は、ＬＥＤ光源２の光軸に対して、プリズム部の稜線がねじれの位置に設定され、特に、上方への高い指向性が得られる方向として、ＬＥＤ光源２の光軸に直交する方向と平行に設定される。
【００３０】
上記反射シート１４は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。この反射シート１４は、両面テープ（図示略）によってベゼル又はリジッド基板５上に貼られている。
【００３１】
上記液晶表示パネル１１は、透過型又は半透過型の液晶表示パネルが採用される。例えば、透過型の液晶表示パネル１１の場合、透明電極、配向膜及び偏光板をそれぞれ有する上基板と下基板との間隙にＴＮ液晶やＳＴＮ液晶等の液晶をシール材で封止したパネル本体と、を備えたものである。
【００３２】
このように実施形態の面状光源１は、光入射面である基端側端面３ａ以外で互いに隣接する導光板の端面３ｃが、それぞれ主面３ｂに対して傾斜しているので、端面３ｃから外部に光が出射され易くなり、端面３ｃ同士の隙間における輝度が向上する。特に、隣接する導光板３の端面３ｃが、それぞれ主面３ｂ側に４５°の傾斜角で向けられているので、両方の端面３ｃから主面３ｂ側に光が出射され易く、端面３ｃ間の輝度を向上させることができる。
【００３３】
また、導光板３間の輝度が向上するので、導光板３同士の間隔を従来よりも広く設定することができ、固定方法、組み付け誤差、材厚、熱膨張等を考慮した余裕のある設計が可能になる。
したがって、この面状光源１をバックライトユニットとして採用した液晶表示装置１０では、導光板３間の輝度低下が抑制され、見栄えが良好な大面積の画像表示が得られる。
【００３４】
次に、本発明に係る面状光源及び液晶表示装置の第２及び第３実施形態について、図５及び図６を参照して以下に説明する。なお、以下の各実施形態の説明において、上記実施形態において説明した同一の構成要素には同一の符号を付し、その説明は省略する。
【００３５】
第２実施形態と第１実施形態との異なる点は、第１実施形態では、基端側端面３ａ以外で互いに隣接する導光板３の端面３ｃが、それぞれ主面３ｂ側に向けられているのに対し、図５に示すように、第２実施形態の面状光源２１では、基端側端面以外で互いに隣接する導光板２３の端面２３ｃが、それぞれ主面２３ｂと反対側に向けられている点である。すなわち、第２実施形態の面状光源２１では、隣接するライトユニット２４において、隣接する導光板２３の端面２３ｃが、それぞれ主面２３ｂと反対側の反射シート１４に向けて配されている。
【００３６】
したがって、第２実施形態では、隣接する導光板２３の端面２３ｃが、それぞれ主面２３ｂと反対側に向けられ、導光板２３の主面２３ｂと反対側に反射シート１４が設けられているので、導光板２３の端面２３ｃから出射された光が反射シート１４により主面２３ｂ側に反射されることで、隣接する端面２３ｃ間における輝度を高めることが可能になる。
【００３７】
第３実施形態と第１実施形態との異なる点は、第１実施形態では、基端側端面３ａ以外で互いに隣接する導光板３の端面３ｃが、それぞれ主面３ｂ側に向けられているのに対し、図６に示すように、第３実施形態の面状光源３１では、基端側端面以外で互いに隣接する導光板３３の端面３３ｃの一方が、主面３３ｂ側に向けられていると共に、導光板３３の端面３３ｃの他方が、主面３３ｂと反対側に向けられて導光板３の端面３３ｃの一方に対してその上方に配されている点である。
【００３８】
すなわち、第３実施形態の面状光源３１では、隣接するライトユニット３４において、隣接する導光板３３の端面３３ｃが互いに平行な傾斜面になって対向状態とされている。したがって、この第３実施形態の面状光源３１では、隣接する導光板３３の端面３３ｃの一方が、主面３３ｂ側に向けられていると共に、導光板３３の端面３３ｃの他方が、主面３３ｂと反対側に向けられて導光板３３の端面３３ｃの一方に対してその上方に配されているので、主面３３ｂ側から見た平面視で導光板３３の端面３３ｃが重なった状態となり、両方の端面３３ｃから出射される光も重なって端面３３ｃ間の輝度を向上させることができる。
【００３９】
次に、本発明に係る面状光源及び液晶表示装置の第４及び第５実施形態について、図７及び図８を参照して以下に説明する。
【００４０】
第４実施形態と第１実施形態との異なる点は、第１実施形態では、長方形状の導光板３が縦列と横列とからなるマトリクス状に配列されているのに対し、図７に示すように、第４実施形態の面状光源４１は、対角線上の一対の角部が面取りされた略長方形状の導光板４３が斜め方向（長方形の対角線方向）に複数並べられて構成されている点である。
【００４１】
すなわち、第４実施形態では、複数のライトユニット４４が斜め方向に配列されて、隣接する導光板４３の角部において面取りされた端面４３ｃが、それぞれ主面４３ｂ側に向けられた傾斜面とされている。したがって、第４実施形態においても、斜めに配列され隣接する導光板４３の面取りされた端面４３ｃ間において輝度が向上し、見栄えを改善することができる。
【００４２】
第５実施形態と第１実施形態との異なる点は、第１実施形態では、長方形状の導光板３が縦列と横列とからなるマトリクス状に配列されているのに対し、図８に示すように、第５実施形態の面状光源５１は、複数の六角形状の導光板５３が六角形格子状配列においてジグザグ的に横方向に配列されている点である。
【００４３】
すなわち、第５実施形態では、六角形状の導光板５３を備えた複数のライトユニット５４がジグザグ的に横方向に配列されて、隣接する導光板５３の端面５３ｃが、それぞれ主面５３ｂ側に向けられた傾斜面とされている。したがって、第５実施形態においても、隣接する六角形状の導光板５３の端面５３ｃ間において輝度が向上し、見栄えを改善することができる。
なお、上記第４及び第５実施形態では、斜め方向や横方向の一方向にライトユニット及び導光板を並べているが、これら形状のライトユニット及び導光板を２次元的に配列してより大面積の面状光源としても構わない。
【実施例】
【００４４】
次に、本発明に係る面状光源及び液晶表示装置を、実施例により図９から図１２を参照して具体的に説明する。
【００４５】
まず、４つのライトユニットを並べた場合について、隣接する導光板の端面の距離ｘを０ｍｍ、１ｍｍ、２ｍｍにそれぞれ設定した場合における輝度分布を測定した。
本発明の第１実施例としては、図９の（ｉ）に示すように、第１実施形態に対応して隣接する導光板３の端面３ｃを両方とも主面３ｂ側に向けた場合の輝度分布を、図１０の（ｉ）に示す。
また、本発明の第２実施例としては、図９の（ｉｉ）に示すように、第２実施形態に対応して隣接する導光板２３の端面２３ｃを両方とも主面２３ｂと反対側に向けた場合の輝度分布を、図１０の（ｉｉ）に示す。
【００４６】
さらに、本発明の第３実施例としては、図９の（ｉｉｉ）に示すように、第３実施形態に対応して隣接する導光板３３の端面３３ｃを両方とも平行な傾斜面とした場合の輝度分布を、図１０の（ｉｉｉ）に示す。
なお、図９の（ｉｖ）に示すように、比較例として主面に対して垂直な端面６３ｃ同士が隣接した従来の導光板６３を並べた場合についても、同様に輝度分布を測定した結果を図１０の（ｉｖ）に示す。
【００４７】
この結果、第１実施例では、距離ｘが０ｍｍのときが最も見栄えが良く、隣接する導光板３の端面３ｃ間を結合部としたとき、面状光源全体の平均輝度と結合部の輝度との差（面状光源全体の平均輝度に対する結合部の輝度の変化率）は１８％であった。また、第２実施例では、距離ｘが２ｍｍのときが最も見栄えが良く、面状光源全体の平均輝度と結合部の輝度との差は１４％であった。さらに、第３実施例では、距離ｘが０〜３ｍｍのいずれも、隣接する導光板３３の端面３３ｃ近傍に明るい線が出ている。これらに対して比較例では、距離ｘが０〜３ｍｍのいずれも、隣接する導光板６３の端面６３ｃ間が暗く、見栄えが悪いことがわかる。
【００４８】
次に、第１〜第３実施例及び比較例について、距離ｘを０〜７ｍｍまで１ｍｍ毎に広く設定した場合の輝度分布（隣接する導光板の端面近傍）を測定した結果を、図１１の（ｉ）〜（ｉｖ）に示す。
【００４９】
この結果、第１実施例では、距離ｘが６ｍｍのときが最も見栄えが良く、面状光源全体の平均輝度と結合部の輝度との差は７％であった。また、第２実施例では、距離ｘを離しても、いずれも隣接する導光板２３の端面２３ｃ近傍に明るい線が出ている。なお、第２実施例では、距離ｘを３ｍｍ離した時点で隣接する導光板２３の端面２３ｃ間が暗くなっているため、それ以上離しても見栄えが改善されないため、図示していない。
【００５０】
さらに、第３実施例では、距離ｘを０〜７ｍｍまで離しても、いずれも隣接する導光板３３の端面３３ｃ近傍に明るい線が出ている。これらに対して比較例では、距離ｘが０ｍｍのときに最も見栄えが良いが、実装上は導光板６３間のクリアランスが必要なため、距離ｘを０ｍｍに設定することは困難である。また、比較例では、距離ｘを離すと、輝線が発生してしまっている。
【００５１】
次に、最も見栄えが良かった第１実施例(ｉ：ｘ＝６ｍｍ）と比較例（ｉｖ：ｘ＝０ｍｍ）とについて、輝度分布をグラフにした結果を、図１２に示す。
このグラフからわかるように、比較例では、中央部（結合部）で輝度の局所的な低下が見られるのに対し、第１実施例では、中央部（結合部）で輝度の局所的な低下がないことがわかる。このように、本発明の実施例では、結合部に暗部が生じず、距離ｘを調整することで見栄えが改善されることがわかる。
【００５２】
なお、本発明は上記各実施形態に限定されるものではなく、本発明の趣旨を逸脱しない範囲において種々の変更を加えることができる。
【００５３】
例えば、第５実施形態では、六角形状の導光板を用いているが、三角形状又は六角形状以外の多角形状の導光板を採用しても構わない。このような多角形状の導光板を適宜選択して配置することにより、種々の画面形状に対応させることが可能になる。
【００５４】
また、ＬＥＤ光源としてＲＧＢ−ＬＥＤを用いて、あらゆる色の光を出射させることも可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを光源とする場合や、一つの導光板に互いに発光色の異なるＬＥＤ光源をそれぞれ配置しても構わない。これらの場合、各ＬＥＤにおいて印加電流を制御することで、面状光源全体又はライトユニット毎に、様々な色の光で照明することが可能になる。
なお、光源としてＬＥＤ光源を採用したが、蛍光管等の他の光源を採用しても構わない。
【００５５】
また、上記各実施形態のバックライトユニットでは、拡散板及び拡散シートを各１枚用いているが、いずれか一方を省略したり、少なくとも一方を複数枚使用したバックライトユニットとしても構わない。さらに、拡散板又は拡散シートを、プリズムシートと液晶表示パネルとの間に配置したバックライトユニットとしても構わない。すなわち、これら拡散板及び拡散シートは、輝度ムラ調整のため、その枚数やヘイズを考慮して適宜、設置位置及び枚数等が設定される。
【００５６】
また、１枚のプリズムシートを用いているが、２枚のプリズムシートを採用したバックライトユニットとしても構わない。
なお、上記各実施形態では、液晶表示パネルの大きさに対応した大きさの拡散板、拡散シート及びプリズムシートを採用しているが、これらを導光板のように複数に分割したものを並べて配置する構成を採用しても構わない。
【図面の簡単な説明】
【００５７】
【図１】本発明に係る面状光源及び液晶表示装置の第１実施形態において、面状光源を示す平面図である。
【図２】第１実施形態において、互いに隣接する２つのライトユニットを示す簡易的な斜視図である。
【図３】第１実施形態において、液晶表示パネルを除く液晶表示装置を示す要部の拡大断面図である。
【図４】第１実施形態において、液晶表示装置を示す要部の拡大断面図である。
【図５】本発明に係る面状光源及び液晶表示装置の第２実施形態において、面状光源を示す要部の拡大断面図である。
【図６】本発明に係る面状光源及び液晶表示装置の第３実施形態において、面状光源を示す要部の拡大断面図である。
【図７】本発明に係る面状光源及び液晶表示装置の第４実施形態において、面状光源を示す平面図である。
【図８】本発明に係る面状光源及び液晶表示装置の第５実施形態において、面状光源を示す平面図である。
【図９】本発明に係る面状光源及び液晶表示装置の実施例及び比較例において、隣接する導光板の形態及び距離を要部の拡大断面で示す説明図である。
【図１０】本発明に係る面状光源及び液晶表示装置の実施例及び比較例において、並べられた４枚の導光板による輝度分布を濃淡で表した図である。
【図１１】本発明に係る面状光源及び液晶表示装置の実施例及び比較例において、隣接する導光板による輝度分布を濃淡で表した図である。
【図１２】本発明に係る面状光源及び液晶表示装置の実施例及び比較例において、隣接する導光板による輝度分布を示すグラフである。
【符号の説明】
【００５８】
１，２１，３１，４１，５１…面状光源、２…ＬＥＤ光源（光源）、３，２３，３３，４３，５３，６３…導光板、３ａ…基端側端面、３ｂ，２３ｂ，３３ｂ，４３ｂ，５３ｂ…主面、３ｃ，２３ｃ，３３ｃ，４３ｃ，５３ｃ…隣接する導光板の端面、４，２４，３４，４４，５４…ライトユニット、１０…液晶表示装置、１１…液晶表示パネル、１２Ａ…拡散板、１２Ｂ…拡散シート、１３…プリズムシート、１４…反射シート
【図１】
2009283419.tif 000003
【図２】
2009283419.tif 000004
【図３】
2009283419.tif 000005
【図４】
2009283419.tif 000006
【図５】
2009283419.tif 000007
【図６】
2009283419.tif 000008
【図７】
2009283419.tif 000009
【図８】
2009283419.tif 000010
【図９】
2009283419.tif 000011
【図１０】
2009283419.tif 000012
【図１１】
2009283419.tif 000013
【図１２】
2009283419.tif 000014